(57)【要約】【課題】扇子立ても兼ねることができる扇子用の包装箱において、扇子の背後に箱部分が表れることがなく、比較的安定性もよい扇子立てとして使用できるようにする。【解決手段】箱本体底面に貼り付けられる扇立てとして、短冊状の薄い板体からなり、長手方向に一定間隔を置いて二箇所に横幅に渡る折り目が設けられることで、当該折り目を境に、第一端部、中央部、第二端部を形成し、前記折り目を折ることで、前記板体を前記第一端部を底面とする三角形状としたときに、斜め上方を向く面を構成する前記第二端部の両側縁近傍に、当該三角形状とした状態で上方側に向く位置に扇を嵌める凹所となる切欠きが形成された板状のフックを立設可能に設け、前記第一端部を折りたたんだ扇子立てが箱本体底面に収まる位置に貼り付け、前記第二端部の最先端に折り曲げ可能な薄い板状の舌部を設ける。【選択図】  図４
0003173731.tif 000002
【実用新案登録請求の範囲】
【請求項１】
細長い上方の開放した箱体からなる箱本体と、
前記箱本体の開口を塞ぐ蓋と、
前記箱本体の底面に設けられる折り畳み可能に収納される扇立てとからなり、
当該扇立ては、
前記箱本体の底面と同じか底面より細い幅を有する短冊状の薄い板体からなり、長手方向に一定間隔を置いて二箇所に横幅に渡る折り目が設けられることで、当該折り目を境に、第一端部、中央部、第二端部が形成され、
前記折り目を折ることで、前記板体を前記第一端部を底面とする三角形状としたときに、斜め上方または真横を向く面を構成する前記第二端部又は前記中央部の両側縁近傍に、当該三角形状とした状態で上方側に向く位置に扇を嵌める凹所となる切欠きが形成された板状のフック部が立設可能に設けられ、
前記板体を、前記フック部が上方側に存するように、少なくとも一の折り目で折りたたんだ状態で、前記板体全体が前記箱本体底面に収まるような位置において、前記第一端部は最先端から所定範囲から形成される差込部以外の任意の範囲が前記箱本体底面に貼り付けられ
前記第二端部の最先端には折り曲げ可能な薄い板状の舌部が設けられるものである
扇子用包装箱。
【請求項２】
前記差込部は前記舌部が入る隙間が形成される程度に、先端に向かって上方に傾斜しているものである請求項１に記載の扇子用包装箱。
【考案の詳細な説明】
【技術分野】
【０００１】
本考案は扇子用の包装箱に関し、特に、扇立てが設けられたものに関する。
【背景技術】
【０００２】
扇子を飾るためには扇子立てが必要であり、通常は、扇子と別途購入する必要がある。これに対して、下記特許文献に記載の考案には、扇子を収納する細長い箱の開口縁に扇子を立てるたての切欠きを設けるとともに、箱全体を立てるための脚を折り畳み可能に設けた考案が示されている。このような考案に扇子を入れて販売すれば、別途扇子立てを購入する必要がなく、また、扇子を立てた状態から直ぐに収納して持ち運ぶことができる。
【先行技術文献】
【特許文献】
【０００３】
【特許文献１】実用新案登録３０３６６５０号公報
【考案の概要】
【考案が解決しようとする課題】
【０００４】
しかしながら、上記考案は、扇子を入れる箱の長さは必ず扇子よりも長くなり、このような箱が扇子の背面に位置するので、箱の上部や下部が必ず扇子の背面に現れ、あまり見栄えがよいものではない。また、重い箱部分が上部に位置することで重心が高くなり、安定性が悪い。
本考案は、このような問題に鑑みて、扇子立ても兼ねることができる扇子用の包装箱において、扇子の背後に箱部分が表れることがなく、比較的安定性もよい扇子立てとして使用できるようにすることを課題とする。
【課題を解決するための手段】
【０００５】
上記課題を解決するために、本考案は次のような構成を有する。
請求項１に記載の考案は、細長い上方の開放した箱体からなる箱本体と、前記箱本体の開口を塞ぐ蓋と前記箱本体の底面に折り畳み可能に収納される扇立てとからなる扇子用包装箱である。そして、前記扇立ては、前記箱本体の底面と同じか底面より細い幅を有する短冊状の薄い板体からなり、長手方向に一定間隔を置いて二箇所に横幅に渡る折り目が設けられることで、当該折り目を境に、第一端部、中央部、第二端部が形成される。また、前記折り目を折ることで、前記板体を前記第一端部を底面とする三角形状としたときに、斜め上方または真横を向く面を構成する前記第二端部又は前記中央部の両側縁近傍に、当該三角形状とした状態で上方側に向く位置に扇を嵌める凹所となる切欠きが形成された板状のフック部が立設可能に設けられる。さらに、前記板体を、前記フック部が上方側に存するように、少なくとも一の折り目で折りたたんだ状態で、前記板体全体が前記箱本体底面に収まるような位置において、前記第一端部は最先端から所定範囲から形成される差込部以外の任意の範囲が前記箱本体底面に貼り付けられ、前記第二端部の最先端には折り曲げ可能な薄い板状の舌部が設けられる。
請求項２に記載の考案は、前記扇用包装箱において、前記差込部は前記舌部が入る隙間が形成される程度に、先端に向かって上方に傾斜しているものである。
【考案の効果】
【０００６】
以上のような構成により、本考案は次のような効果を奏する。
請求項１に記載の考案は、扇子立ては底面に収まるように収納可能であるので、扇子を箱本体に収納する際には、扇子立てを底面に収めて底敷きとして用いることができる。そして、扇子立てを用いる際には、前記折り目を折り曲げて全体を三角形状として、第二端部先端の舌部を第一端部の最先端の差込部と箱本体底面との間に差し入れることで、固定する。この状態でフック部は傾斜面又は垂直面に立設可能であり、フック部を立設させると上方を向いた切欠きが向かい合うので、この切欠きの間に開いた扇子の下端近傍を挿入することで扇子を立てることができる。本考案は、箱の底面に収まる短冊状の薄い板体を扇子立てとして用い、扇子の背面には箱面が現れることがないので、見栄えがよく、また、扇子立ての状態において、長くで重さのある箱本体が底部に位置するので比較的安定性が高い。
請求項２に記載の考案は、第一端部の最先端近傍と箱本体底面との間に隙間ができることで、第二端部先端の舌部を容易に差し入れることができる。
【図面の簡単な説明】
【０００７】
【図１】実施形態に係る扇子用包装箱の蓋を開けた状態を示す斜視図である。
【図２】実施形態に係る扇子用包装箱の分解斜視図である。
【図３】（ａ）は扇子立てを収納した状態の箱本体の縦断面図であり、（ｂ）は扇子立てを取り出し状態を示す箱本体の縦断面図であり、（ｃ）は扇子立てを組み立てた状態を示す箱本体の縦断面図である。
【図４】実施形態に係る扇子用包装箱の扇子立てを組み立てた状態を示す斜視図である。
【考案を実施するための形態】
【０００８】
以下、本考案の実施の形態について、図面を参照しながら説明する。
まず、図１に本実施形態に係る扇子用包装箱Ｘの蓋を開いた状態を表す斜視図を示し、図２に扇子用包装箱Ｘの分解斜視図を示す。扇子用包装箱Ｘは、箱本体１０、蓋２０、扇子立て３０とから構成される。
箱本体１０は、対象となる扇子が入る大きさの細長い上方が開放した箱体により形成される。蓋２０は箱本体１０の上方から係合し、箱本体１０の開口を塞ぐ、下方が開放した箱体により形成される。
【０００９】
扇子立て３０は、箱本体１０の底面に貼り付けられて固定されるものであり、細長い短冊状の厚紙により形成される。扇子立て３０は長手方向に２箇所、幅方向に渡ってトムソンにより折り目を形成することで、第一端部３１、中央部３２、第二端部３３が形成される。この内、第一端部３１が最も短く、第二端部３３が最も長く形成される。これらの長さにより、扇子立ての扇子を立てる角度が定まるが、長さの組み合わせは所望の角度に応じて適宜変更することが可能である。扇子立て３０は収納時には中央部３２と第二端部３３との折り目で折りたたんで箱本体１０の底面の底敷きとして収納される。
第一端部３１の最先端近傍の一定範囲は先端に向かってやや上方に折り曲げられ微少な傾斜を有する差込部３１ａを形成しており、差込部３１ａ以外の部分が箱本体１０の底面に貼り付けられる。第一端部３１が貼り付けられる位置は、中央部３２を第一端部３１と同一平面になるように伸ばした状態で、中央部３２と第一端部３１が箱本体１０の底面に収まるような位置に定められる。
【００１０】
第二端部３３は、最先端部が伸延されて舌部３３ａが形成され、舌部３３ａと第二端部３３の最先端部との境にはトムソン刃で折り目が形成されることで舌部３３ａは折り曲げ可能に形成されている。また、第二端部３３の先端近傍には、扇子保持体３４が固定される。扇子保持体３４は、厚紙を断面コの字状に曲げて形成たものであり、中央を構成する部分は、幅が第二端部３３の幅と略一致し第二端部３３に貼り付けられる。そして中央を構成する部分の両端から立ち上がるフック部３４ａ、３４ａは、扇子立て３０を箱本体１０に収納したときに、箱本体１０の開口に達しない幅に形成され、中央部３２と第二端部３３との折り目に向かう側面には扇子を嵌めるためのＵ字状の切欠きが形成される。
【００１１】
次に、以上のような構成を有する扇子用包装箱Xの使用方法について説明する。通常は、図１に示すように扇子立て３０を箱本体１０の底敷きとして収納し、この上に扇子を入れ、蓋２０を閉じて、扇子を収納する。図３（ａ）に扇子立て３０を収納した状態における箱本体１０の縦断面図を示す。
扇子立てとして使用する場合は、中の扇子を取り出し、図３（ｂ）に示すように扇子立て３０の中央部３２及び第二端部３３を箱本体１０の底面から取り出し、中央部３２を略垂直に立て、第二端部３３先端の舌部３３ａを内側に折り曲げて、この舌部３３ａを第一端部３１の差込部３１ａと箱本体１０の底面との間に差し込む。この際、差込部３１ａがやや上方に曲げられているので舌部３３ａを差込みやすい。以上の操作により、図３（ｃ）に示すように、扇子立て３０を三角形状に組み立てることができ、フック部３４ａ、３４ａの切欠きがほぼ上方を向く。図４に扇子立て３０を組み立てた状態の扇子用包装箱Ｘの斜視図を示す。この状態になれば、扇子Ｆの根元部分近傍をフック部３４ａ、３４ａに嵌め、第二端部３３に背面を支持させることで、扇子Ｆを立てることができる。
【００１２】
本実施形態に係る扇子用包装箱Ｘは、以上のような構成により、扇子立て３０の扇子を支持する部分は扇子よりも短く形成することができるので、目立つことがなく、また、扇子立てとしたときに箱本体１０が底部を構成するので比較的安定して扇子を立てることができる。
なお、上記実施形態では、フック部３４ａ、３４ａを含む扇子保持体３４を第二端部３３に設けたが、中央部３２に設けることもできる。この場合、フック部３４ａ、３４ａは収納時に底面に当たることになるので、中央部３２の裏面側に折り返すようにすればよい。
また、上記実施形態では、扇子立て３０を箱本体１０に収納する際に、第一端部３１と中央部３２との折り目のみを折りたたんだが、長さの組み合わせによっては、中央部３２と第二端部３３との折り目も折りたたんでもよい。この際、フック部３４ａは必要に応じて上方に折り曲げられることになる。
【符号の説明】
【００１３】
Ｘ  扇子用包装箱
Ｆ  扇子
１０  箱本体
２０  蓋
３０  扇子立て
３１  第一端部
３１ａ  差込部
３２  中央部
３３  第二端部
３３ａ  舌部
３４  扇子保持体
３４ａ  フック部
【図１】
0003173731.tif 000003
【図２】
0003173731.tif 000004
【図３】
0003173731.tif 000005
【図４】
0003173731.tif 000006